(57)【特許請求の範囲】
【請求項１】
上端から下端にかけて末広がりに傾斜する支柱部材と、
該支柱部材の上端側から、該支柱部材を挿通可能な挿通孔が形成されている、愛玩動物用の食事又は水等を入れる容器を載置するための台座とを備え、
該支柱部材の上端側から、該支柱部材を該挿通孔に挿通した際、該支柱部材の横幅が該挿通孔の横幅よりも大きくなる箇所で、該台座が該支柱部材に係止されることを特徴とする愛玩動物用の食事台。
【請求項２】
上端から下端にかけて末広がりに傾斜する支柱部材と、
該支柱部材の上端側から、該支柱部材を挿通可能な枠部材と、
該枠部材に横設される支持部材と、
該支持部材の一端に取り付けられ、愛玩動物用の食事又は水等を入れる容器を載置するための台座とを備え、
該支柱部材の上端側から、該支柱部材を該枠部材に挿通した際、該支柱部材の横幅が該枠部材の内側の横幅よりも大きくなる箇所で、該枠部材が該支柱部材に係止されることを特徴とする愛玩動物用の食事台。
【請求項３】
該挿通孔の平面視の形状が、該支柱部材の平面視の形状と同一であることを特徴とする請求項１に記載の愛玩動物用の食事台。
【請求項４】
該枠部材の平面視の形状が、該支柱部材の平面視の形状と同一であることを特徴とする請求項２に記載の愛玩動物用の食事台。
【請求項５】
該支柱部材が平面視円形状にて形成されていることを特徴とする請求項１乃至４のいずれかに記載の愛玩動物用の食事台。
【発明の詳細な説明】
【技術分野】
【０００１】
本発明は、犬や猫等の愛玩動物用の食事台に関し、より詳しくは、容器を載置するための台座の高さを容易に変更することができるとともに、１つの食事台で、複数の台座を使用することができる愛玩動物用の食事台に関する。
【背景技術】
【０００２】
従来、愛玩動物用の食事台に関するものとしては、円形からなる嵌合孔に、愛玩動物用の食事又は水等を入れるための容器を嵌合することで、該容器を載置する載置部と、該載置部の一端から下方に延設される側壁部と、該側壁部の下端から、該載置部の他端側方向に延設される底部とを備えるものであって、該載置部が側面視において、他端側から一端側にかけて傾斜してなる愛玩動物用の食事台が知られている（非特許文献１参照）。
【０００３】
この非特許文献１に記載の愛玩動物用の食事台は、載置部を、他端側から一端側にかけて傾斜させることで、食事中に、愛玩動物の首や背中等にかかる負担を軽減させるものとなっている。
【先行技術文献】
【非特許文献】
【０００４】
【非特許文献１】Ａｍａｚｏｎ．ｃｏ．ｊｐ  ｉＤｏｇ  Ｌｉｖｉｎｇ  Ｋｅａｔ〔平成２８年１月２８日検索〕、インターネット＜URL: http://www.amazon.co.jp/iDog-Living-Keat%E3%82%AD%E3%83%BC%E3%83%88-L%E3%82%B5%E3%82%A4%E3%82%BA-%E3%83%95%E3%83%BC%E3%83%89%E3%83%9C%E3%82%A6%E3%83%AB%E5%88%A5%E5%A3%B2/dp/B00BFAORT4/ref=lp_2155192051_1_13?s=pet-supplies&ie=UTF8&qid=1453894812&sr=1-13＞
【発明の概要】
【発明が解決しようとする課題】
【０００５】
しかし、この非特許文献１に記載されている愛玩動物用の食事台（以下、「食事台」という。）は、載置部の、底部からの高さが固定されており、自由にその高さを変更することができないことから、この食事台では、様々な背格好（サイズ）からなる愛玩動物（小型、中型、大型等の愛玩動物）に対して、最適な高さで食事を与えることができない。
【０００６】
このことを詳しく説明すると、この食事台が小型の愛玩動物用の場合、中型及び大型の愛玩動物が、この食事台を用いて食事をしようとすると、載置部に載置されている容器から、これらの愛玩動物の口元までの距離には大きな差があることから、これらの愛玩動物は、当該容器の中の食事を食べるべく、当該容器に向かって、必要以上に大きく首を下げることになる。また、この食事台が中型又は大型の愛玩動物用の場合、小型の愛玩動物が、この食事台を用いて食事をしようとすると、上記同様、載置部に載置されている容器から、小型の愛玩動物の口元までの距離には大きな差があることから、小型の愛玩動物は、当該容器の中の食事を食べるべく、当該容器に向かって、必要以上に大きく首を上げることになる。
【０００７】
そのため、このような動作によって、小型、中型及び大型の愛玩動物の首又は背中等には、大きな負担がかかることから、この食事台では、様々な背格好（サイズ）からなる愛玩動物（小型、中型、大型等の愛玩動物）に対して、最適な高さで食事を与えることができないのである（場合によっては、このような動作が原因で、これら愛玩動物の頸椎等に、ヘルニア等の症状が発症してしまうおそれがある）。
【０００８】
また、この食事台における載置部には、容器を嵌合するための嵌合孔が１つしか設けられていないことから、この食事台では、載置部に、１つの容器のみしか載置することができない。そのため、複数の愛玩動物を飼っている場合には、この食事台を用いて、同時に、複数の愛玩動物に対して、食事を与えることができない（効率的に食事を与えることができない）。
【０００９】
そこで、本発明は、上記点に鑑みてなされたものであり、容器を載置するための台座の高さを容易に変更することができるとともに、１つの食事台で、複数の台座を使用することのできる愛玩動物用の食事台を提供することを目的とするものである。
【課題を解決するための手段】
【００１０】
請求項１の発明に係る愛玩動物用の食事台は、上端から下端にかけて末広がりに傾斜する支柱部材と、該支柱部材の上端側から、該支柱部材を挿通可能な挿通孔が形成されている、愛玩動物用の食事又は水等を入れる容器を載置するための台座とを備え、該支柱部材の上端側から、該支柱部材を該挿通孔に挿通した際、該支柱部材の横幅が該挿通孔の横幅よりも大きくなる箇所で、該台座が該支柱部材に係止されることを特徴とする。
【００１１】
請求項２の発明に係る愛玩動物用の食事台は、上端から下端にかけて末広がりに傾斜する支柱部材と、該支柱部材の上端側から、該支柱部材を挿通可能な枠部材と、該枠部材に横設される支持部材と、該支持部材の一端に取り付けられ、愛玩動物用の食事又は水等を入れる容器を載置するための台座とを備え、該支柱部材の上端側から、該支柱部材を該枠部材に挿通した際、該支柱部材の横幅が該枠部材の内側の横幅よりも大きくなる箇所で、該枠部材が該支柱部材に係止されることを特徴とする。
【００１２】
請求項３の発明に係る愛玩動物用の食事台は、請求項１に記載の発明に係る愛玩動物用の食事台において、該挿通孔の平面視の形状が、該支柱部材の平面視の形状と同一であることを特徴とする。
【００１３】
請求項４の発明に係る愛玩動物用の食事台は、請求項２に記載の発明に係る愛玩動物用の食事台において、該枠部材の平面視の形状が、該支柱部材の平面視の形状と同一であることを特徴とする。
【００１４】
請求項５の発明に係る愛玩動物用の食事台は、請求項１乃至４のいずれかに記載の発明に係る愛玩動物用の食事台において、該支柱部材が平面視円形状にて形成されていることを特徴とする。
【発明の効果】
【００１５】
請求項１に記載の発明は、上端から下端にかけて末広がりに傾斜する支柱部材の上端側から、支柱部材を挿通孔に挿通すると、支柱部材の横幅が挿通孔の横幅よりも大きくなる箇所で、愛玩動物用の食事又は水等を入れる容器を載置するための台座が、支柱部材に係止されるものとなっていることから、本発明では、当該容器を載置するための台座の高さ（支柱部材の下端からの高さ）を容易に変更することができる。これにより、本発明では、台座を設置する高さを自由に変更することができることから、様々な背格好からなる愛玩動物に対して、最適な高さで食事を与えることができる（すなわち、本発明では、様々な背格好からなる愛玩動物の首又は背中等に対して、負担をかけることなく、最適な高さで食事を与えることができる）。
【００１６】
また、挿通孔の横幅が、それぞれ異なる複数の台座を用意しておけば、これらの台座を、それぞれ異なる高さ（支柱部材の下端からの高さ）で、支柱部材に係止することができることから、本発明では、様々な背格好からなる複数の愛玩動物を飼っている場合でも、これら複数の台座を用いることで、複数の愛玩動物に対して、同時に食事を与えることができる。すなわち、本発明では、１つの食事台で、複数の台座を使用することができることから、複数の愛玩動物に対して、効率的に食事を与えることができるのである（最適な高さで食事を与えることができる）。
【００１７】
請求項２に記載の発明は、上端から下端にかけて末広がりに傾斜する支柱部材の上端側から、支柱部材を枠部材に挿通すると、支柱部材の横幅が枠部材の内側の横幅よりも大きくなる箇所で、枠部材が、支柱部材に係止されるものとなっていることから、本発明では、愛玩動物用の食事又は水等を入れる容器を載置するための台座の高さ（支柱部材の下端からの高さ）を容易に変更することができる。これにより、本発明では、台座を設置する高さを自由に変更することができることから、様々な背格好からなる愛玩動物に対して、最適な高さで食事を与えることができる（すなわち、本発明では、様々な背格好からなる愛玩動物の首又は背中等に対して、負担をかけることなく、最適な高さで食事を与えることができる）。
【００１８】
また、横幅が、それぞれ異なる複数の枠部材を用意しておけば、これらの枠部材を、それぞれ異なる高さ（支柱部材の下端からの高さ）で、支柱部材に係止することができることから、本発明では、様々な背格好からなる複数の愛玩動物を飼っている場合でも、これら複数の枠部材に、支持部材を介して台座を取り付けることで、複数の愛玩動物に対して、同時に食事を与えることができる。すなわち、本発明では、１つの食事台で、複数の台座を使用することができることから、複数の愛玩動物に対して、効率的に食事を与えることができるのである（最適な高さで食事を与えることができる）。
【００１９】
請求項３に記載の発明は、挿通孔の平面視の形状が、支柱部材の平面視の形状と同一であることから、安定して、台座を支柱部材に係止することができる。
【００２０】
請求項４に記載の発明は、枠部材の平面視の形状が、支柱部材の平面視の形状と同一であることから、安定して、枠部材を支柱部材に係止することができる。その結果、本発明では、枠部材を支柱部材に係止した際、台座の位置を安定させることができる。
【００２１】
請求項５に記載の発明は、支柱部材が平面視円形状にて形成されていることから、支柱部材を軸にして、台座を、水平方向に回転（以下、単に「回転」ともいう。）させることができる。これにより、本発明では、台座の位置（向き）を自由に変更することができることから、複数の愛玩動物を飼っている場合においても、愛玩動物に負担をかけることなく、効率的に食事を与えることができる。例えば、２つの台座を回転させて、これらを互いに異なる方向に向けると、それぞれの愛玩動物は、互いに体をぶつけることなく、食事をすることができることから、本発明では、愛玩動物に負担をかけることなく、効率的に食事を与えることができるのである。
【図面の簡単な説明】
【００２２】
【図１】本発明の実施例１に係る愛玩動物用の食事台の支柱部材を表す斜視図である。
【図２】本発明の実施例１に係る愛玩動物用の食事台の支柱部材を表す平面図である。
【図３ａ】本発明の実施例１に係る愛玩動物用の食事台の台座を表す平面図である。
【図３ｂ】本発明の実施例１に係る愛玩動物用の食事台の台座を表す平面図である。
【図３ｃ】本発明の実施例１に係る愛玩動物用の食事台の台座を表す側面図である。
【図４】本発明の実施例１に係る愛玩動物用の食事台の台座が支柱部材に係止されている状態を表す斜視図である。
【図５】本発明の実施例１に係る愛玩動物用の食事台の台座が支柱部材に係止されている状態を表す側面図である。
【図６】本発明の実施例１に係る愛玩動物用の食事台の支柱部材の変形例を表す斜視図である。
【図７ａ】本発明の実施例１に係る愛玩動物用の食事台の台座の変形例を表す平面図である。
【図７ｂ】本発明の実施例１に係る愛玩動物用の食事台の台座の変形例を表す平面図である。
【図７ｃ】本発明の実施例１に係る愛玩動物用の食事台の台座の変形例を表す側面図である。
【図８】本発明の実施例１に係る愛玩動物用の食事台の台座の変形例が支柱部材に係止されている状態を表す斜視図である。
【図９】本発明の実施例１に係る愛玩動物用の食事台の台座の変形例が支柱部材に係止されている状態を表す側面図である。
【発明を実施するための形態】
【００２３】
以下、図面を用いて本発明の詳細を説明する。
【実施例１】
【００２４】
まず、図１乃至図３を用いて、本発明の実施例１に係る愛玩動物用の食事台１００の形態について説明する。なお、以下では、愛玩動物用の食事台１００を構成する支柱部材１０、台座２０（２０ａ、２０ｂ）の形態について説明する。
【００２５】
図１は本発明の実施例１に係る愛玩動物用の食事台の支柱部材を表す斜視図であり、図２は本発明の実施例１に係る愛玩動物用の食事台の支柱部材を表す平面図である。図３ａ及び図３ｂは本発明の実施例１に係る愛玩動物用の食事台の台座（異なる２つの台座）を表す平面図であり、図３ｃは本発明の実施例１に係る愛玩動物用の食事台の台座を表す側面図である。
【００２６】
［支柱部材１０］
図１及び図２に示すように、支柱部材１０は、全体が、円錐の上端を切り落とした形、すなわち、平面視円形状からなる縦長の棒状にて形成される。支柱部材１０は、上端１１から下端１２にかけて、末広がりに傾斜するよう形成されており（傾斜面１３を有する）、直径が、上端１１から下端１２にかけて、次第に、大きくなるよう形成される。支柱部材１０の高さは概ね４０ｃｍ、上端１１の直径は概ね４ｃｍ、下端１２の直径は概ね１１ｃｍに形成される。なお、支柱部材１０は、例えば、木材、プラスチック等にて形成することができる。
【００２７】
［台座２０］
図３ａ乃至図３ｃに示すように、台座２０（台座２０ａ、台座２０ｂ）は、全体が、平面視矩形状からなる板状体にて形成される。台座２０（台座２０ａ、台座２０ｂ）には、一端側に、平面視円形状からなる、支柱部材１０を挿通するための（挿通可能な）挿通孔２１（挿通孔２１ａ、挿通孔２１ｂ）が形成されており（挿通孔２１（挿通孔２１ａ、挿通孔２１ｂ）の平面視の形状は、支柱部材１０の平面視の形状と同一となる）、挿通孔２１ａと挿通孔２１ｂの大きさは、異なるものとなっている（すなわち、挿通孔２１ａの直径は、挿通孔２１ｂの直径よりも大きく形成されている）。台座２０（台座２０ａ、台座２０ｂ）の長手方向の長さは概ね３０ｃｍ、短手方向の長さは概ね２５ｃｍ、厚みは概ね１ｃｍに形成される。また、挿通孔２１ａの直径は概ね９ｃｍ、挿通孔２１ｂの直径は概ね８ｃｍに形成される。なお、台座２０（２０ａ、２０ｂ）は、例えば、木材、プラスチック等にて形成することができる。
【００２８】
次に、図４及び図５を用いて、本発明の実施例１に係る愛玩動物用の食事台１００の使用方法について説明する。なお、ここでは、愛玩動物用の食事台１００を用いて、背格好の異なる２匹の愛玩動物２００、２００（小型と中型の愛玩動物）に食事を与える方法について説明する。
【００２９】
図４は本発明の実施例１に係る愛玩動物用の食事台の台座が支柱部材に係止されている状態を表す斜視図であり、図５は本発明の実施例１に係る愛玩動物用の食事台の台座が支柱部材に係止されている状態を表す側面図である。
【００３０】
図４及び図５に示すように、愛玩動物２００に食事を与える者（以下、「飼育者」という。）は、まず、支柱部材１０を床等の上に載置する（支柱部材１０の下端１２である底部を床等に載置する）。
【００３１】
続いて、飼育者は、台座２０ａの挿通孔２１ａに、支柱部材１０の上端１１側から、支柱部材１０を挿通し、そのまま、台座２０ａを、支柱部材１０の下端１２側へ移動させる。このとき、支柱部材１０は、上端１１から下端１２にかけて、末広がりに傾斜しており、直径が、上端１１から下端１２にかけて、次第に、大きくなるよう形成されていることから、台座２０ａは、支柱部材１０の直径（横幅）が、挿通孔２１ａの直径（横幅）よりも大きくなる箇所で、支柱部材１０に係止される。すなわち、台座２０ａは、挿通孔２１ａの内壁が、支柱部材１０の傾斜面１３に当接する箇所で係止されることになる（本実施例の場合、台座２０ａは、支柱部材１０の下端１２から概ね１０ｃｍの高さで係止される）。
【００３２】
そして、飼育者は、台座２０ｂの挿通孔２１ｂに、支柱部材１０の上端１１側から、支柱部材１０を挿通し、そのまま、台座２０ｂを、支柱部材１０の下端１２側へ移動させる。このとき、上記同様、支柱部材１０は、上端１１から下端１２にかけて、末広がりに傾斜しており、直径が、上端１１から下端１２にかけて、次第に、大きくなるよう形成されていることから、台座２０ｂは、支柱部材１０の直径（横幅）が、挿通孔２１ｂの直径（横幅）よりも大きくなる箇所で、支柱部材１０に係止される。すなわち、台座２０ｂは、挿通孔２１ｂの内壁が、支柱部材１０の傾斜面１３に当接する箇所で係止されることになる（本実施例の場合、台座２０ｂは、支柱部材１０の下端１２から概ね１６ｃｍの高さで係止される）。
【００３３】
このように、台座２０ａ及び台座２０ｂを支柱部材１０に係止することで、これらの台座２０ａ、２０ｂを、それぞれ異なる高さ（支柱部材１０の下端１２からの高さ）に設置することができる。また、挿通孔２１ａ及び挿通孔２１ｂの平面視の形状は、支柱部材１０の平面視の形状と同一であることから、安定して、台座２０ａ及び台座２０ｂを支柱部材１０に係止することができる（支柱部材１０の挿通孔２１ａ及び挿通孔２１ｂへの挿通がスムーズに行われる）。
【００３４】
なお、このとき、２匹の愛玩動物２００、２００が、互いに体をぶつけることなく、食事をすることができるよう、台座２０ａ及び台座２０ｂの他端側（挿通孔２１ａ、挿通孔２１ｂが形成されていない側）を、互いに異なる方向に向けて、台座２０ａ、２０ｂを、支柱部材１０に係止するようにする（又は、台座２０ａ及び台座２０ｂを支柱部材１０に係止した後、台座２０ａ及び台座２０ｂを回転させ、これらを互いに異なる方向に向けるようにする）。
【００３５】
次に、飼育者は、台座２０ａ及び台座２０ｂの他端側の上面に、愛玩動物用の食事又は水等を入れるための容器３０を載置し、２匹の愛玩動物２００、２００に対して、食事を与える。すなわち、飼育者は、支柱部材１０の低い位置に係止されている台座２０ａを用いて、小型の愛玩動物２００に食事を与え、支柱部材１０の高い位置に係止されている台座２０ｂを用いて、中型の愛玩動物２００に食事を与えるようにする。このようにすることで、愛玩動物用の食事台１００では、これらの愛玩動物２００、２００に対して、最適な高さで食事を与えることができる（すなわち、異なる背格好からなる愛玩動物２００、２００の首又は背中等に対して、負担をかけることなく、最適な高さで食事を与えることができる）。
【００３６】
このように、本発明は、上端１１から下端１２にかけて末広がりに傾斜する支柱部材１０の上端１１側から、支柱部材１０を挿通孔２１（挿通孔２１ａ、挿通孔２１ｂ）に挿通すると、支柱部材１０の直径（横幅）が、挿通孔２１（挿通孔２１ａ、挿通孔２１ｂ）の直径（横幅）よりも大きくなる箇所で、愛玩動物２００用の食事又は水等を入れる容器３０を載置するための台座２０（台座２０ａ、台座２０ｂ）が、支柱部材１０に係止されるものとなっていることから、本発明では、容器３０を載置するための台座２０の高さ（支柱部材１０の下端１２からの高さ）を容易に変更することができる。
【００３７】
すなわち、台座２０が、支柱部材１０に係止される位置（高さ）は、挿通孔２１の直径（横幅）の大きさに応じて決定されることから（挿通孔２１の直径（横幅）が大きいものは、支柱部材１０の下端１２側に、挿通孔２１の直径（横幅）が小さいものは、支柱部材１０の上端１１側に係止される）、予め、直径（横幅）が、様々な大きさからなる挿通孔２１が形成された複数の台座２０を用意しておけば、飼育者は、適宜、使用する台座２０を変更するだけで、容器３０を載置するための台座２０の高さ（支柱部材１０の下端１２からの高さ）を、容易に変更することができるのである。よって、本発明では、複雑な器具や機構を使用しなくても、極めて簡単に、台座２０の高さ（支柱部材１０の下端１２からの高さ）を変更することができる。
【００３８】
また、このように、本発明では、台座２０の高さ（支柱部材１０の下端１２からの高さ）を、容易に変更することができることから、飼育者は、台座２０の高さを、柔軟に、愛玩動物２００の背格好に適した高さに合わせることができる。よって、本発明では、愛玩動物２００に対して、最適な高さで食事を与えることができる（すなわち、異なる背格好からなる愛玩動物２００の首又は背中等に対して、負担をかけることなく、最適な高さで食事を与えることができるのである）。
【００３９】
さらに、本実施例において説明したとおり、本発明では、複数の台座２０（台座２０ａ、台座２０ｂ）を用いることで、複数の愛玩動物２００、２００に対して、同時に食事を与えることができることから、１つの食事台で、複数の愛玩動物に対して、効率的に食事を与えることができる。
【００４０】
また、本発明では、挿通孔２１ａ及び挿通孔２１ｂの平面視の形状が、支柱部材１０の平面視の形状と同一となっていることから、安定して、台座２０（台座２０ａ、台座２０ｂ）を支柱部材１０に係止することができる（支柱部材１０の挿通孔２１ａ及び挿通孔２１ｂへの挿通がスムーズに行われる）。
【００４１】
加えて、本発明では、支柱部材１０が平面視円形状にて形成されていることから、支柱部材１０を軸にして、台座２０（台座２０ａ、台座２０ｂ）を回転させることができる。これにより、本発明では、台座２０（台座２０ａ、台座２０ｂ）の位置（向き）を自由に変更することができることから、複数の愛玩動物を飼っている場合においても、愛玩動物に負担をかけることなく、効率的に食事を与えることができる。例えば、本実施例において説明したように、台座２０（台座２０ａ、台座２０ｂ）を回転させて、これらの他端側を、互いに異なる方向に向けると、それぞれの愛玩動物は、互いに体をぶつけることなく、食事をすることができることから、本発明では、愛玩動物に負担をかけることなく、効率的に食事を与えることができるのである。
【００４２】
［本実施例に係る愛玩動物用の食事台１００の変形例］
なお、本実施例では、愛玩動物用の食事台１００（支柱部材１０、台座２０（台座２０ａ、台座２０ｂ）等）の寸法を上記寸法にて形成するものとしているが、愛玩動物２００の背格好等に応じて、これらの寸法を他の寸法（大きめ又は小さめ）にて形成することもできる。なお、この場合に、支柱部材１０の直径（横幅）が、挿通孔２１（挿通孔２１ａ、挿通孔２１ｂ）の直径（横幅）よりも大きくなる箇所で、台座２０（台座２０ａ、台座２０ｂ）が、支柱部材１０に係止されるよう、挿通孔２１（挿通孔２１ａ、挿通孔２１ｂ）の直径（横幅）を、支柱部材１０の上端１１の直径（横幅）よりも大きく、かつ、支柱部材１０の下端１２の直径（横幅）よりも小さくする必要があることは勿論である。
【００４３】
また、本実施例では、台座２０（台座２０ａ、台座２０ｂ）の形状を、平面視矩形状にて形成するものとしているが、挿通孔２１（挿通孔２１ａ、挿通孔２１ｂ）に、支柱部材１０の上端１１側から、支柱部材１０を挿通することで、台座２０（台座２０ａ、台座２０ｂ）を支柱部材１０に係止することができるのであれば、台座２０（台座２０ａ、台座２０ｂ）の平面視の形状を他の形状にて形成することもできる。例えば、台座２０（台座２０ａ、台座２０ｂ）の平面視の形状を、半円形又は円形にて形成することができる。なお、このとき、台座２０（台座２０ａ、台座２０ｂ）の上面に容器３０を載置することができるよう、挿通孔２１（挿通孔２１ａ、挿通孔２１ｂ）を、本実施例と同様に、台座２０（台座２０ａ、台座２０ｂ）の一端側に形成する必要があることは勿論である（すなわち、容器３０は、台座２０（台座２０ａ、台座２０ｂ）の他端側の上面に載置される）。
【００４４】
また、本実施例における台座２０（台座２０ａ、台座２０ｂ）の、挿通孔２１（挿通孔２１ａ、挿通孔２１ｂ）が形成されていない箇所に、容器３０を嵌合するための嵌合孔又は嵌合凹部を形成するようにしてもよい。こうすることで、容器３０を、安定して台座２０（台座２０ａ、台座２０ｂ）の上面に載置することができる。
【００４５】
また、本実施例では、挿通孔２１（挿通孔２１ａ、挿通孔２１ｂ）を、台座２０（台座２０ａ、台座２０ｂ）の一端側に形成するものとしているが、台座２０（台座２０ａ、台座２０ｂ）を支柱部材１０に係止した際、台座２０（台座２０ａ、台座２０ｂ）の上面に容器３０を載置することができるのであれば、これを異なる位置に形成することもできる。例えば、台座２０（台座２０ａ、台座２０ｂ）の長手方向及び／又は短手方向の幅を大きくすることで、容器３０を載置するためのスペースを確保して、挿通孔２１（挿通孔２１ａ、挿通孔２１ｂ）を、台座２０（台座２０ａ、台座２０ｂ）の中央付近に形成するようにしてもよい。こうすることで、台座２０（台座２０ａ、台座２０ｂ）の両端側には、容器３０を載置するためのスペースが確保されることから、飼育者は、このスペースを使って、複数の愛玩動物２００に対して、効率的に食事を与えることができる（特に、背格好が同じ複数の愛玩動物２００に対して、同時に食事を与える場合に有効である）。
【００４６】
また、本実施例では、挿通孔２１（挿通孔２１ａ、挿通孔２１ｂ）の平面視の形状を、支柱部材１０の平面視の形状と同一となるように形成しているが、支柱部材１０の上端１１側から、支柱部材１０を挿通孔２１（挿通孔２１ａ、挿通孔２１ｂ）に挿通することができ、台座２０（台座２０ａ、台座２０ｂ）が、支柱部材１０に係止される位置（高さ）が、挿通孔２１（挿通孔２１ａ、挿通孔２１ｂ）の直径（横幅）の大きさに応じて決定されるのであれば、挿通孔２１（挿通孔２１ａ、挿通孔２１ｂ）の平面視の形状を、支柱部材１０の平面視の形状と異なる形状にて形成することもできる（例えば、支柱部材１０が平面視円形状からなるのに対して、挿通孔２１（挿通孔２１ａ、挿通孔２１ｂ）を平面視矩形状にて形成する等）。
【００４７】
また、本実施例では、支柱部材１０を、全体が、平面視円形状からなる縦長の棒状にて形成するものとしているが、支柱部材１０の上端１１側から、支柱部材１０を挿通孔２１（挿通孔２１ａ、挿通孔２１ｂ）に挿通することができ、台座２０（台座２０ａ、台座２０ｂ）が、支柱部材１０に係止される位置（高さ）が、挿通孔２１（挿通孔２１ａ、挿通孔２１ｂ）の直径（横幅）の大きさに応じて決定されるのであれば、支柱部材１０の全体の形状を他の形状にて形成することができる。例えば、支柱部材１０を、全体が、平面視矩形状からなる縦長の棒状にて形成してもよいし（図６参照）、円錐又は角錐等で形成してもよい。
【００４８】
また、本実施例では、２つの台座２０ａ、台座２０ｂを用いて、愛玩動物用の食事台１００の使用方法について説明したが、１つの台座２０のみで、愛玩動物用の食事台１００を使用することができることは勿論である（１匹の愛玩動物２００に食事を与える場合等）。
【００４９】
また、本実施例では、台座２０（台座２０ａ、台座２０ｂ）の一端側に、挿通孔２１（挿通孔２１ａ、挿通孔２１ｂ）を形成するものとしているが、例えば、これを以下のように変形することもできる。
【００５０】
図７ａ及び図７ｂは本発明の実施例１に係る愛玩動物用の食事台の台座の変形例を表す平面図であり、図７ｃは本発明の実施例１に係る愛玩動物用の食事台の台座の変形例を表す側面図である。また、図８は本発明の実施例１に係る愛玩動物用の食事台の台座の変形例が支柱部材に係止されている状態を表す斜視図であり、図９は本発明の実施例１に係る愛玩動物用の食事台の台座の変形例が支柱部材に係止されている状態を表す側面図である。
【００５１】
図７ａ乃至図７ｃに示すように、本実施例に係る台座２０（台座２０ａ、台座２０ｂ）の変形例は、枠部材４０、支持部材５０及び台座６０から構成される。
【００５２】
［枠部材４０］
枠部材４０（枠部材４０ａ、枠部材４０ｂ）は、全体が、平面視円形状にて形成されており、内部には、平面視円形状からなる、支柱部材１０を挿通するための（挿通可能な）挿通孔４１（挿通孔４１ａ、挿通孔４１ｂ）が形成されている（すなわち、支柱部材１０は、枠部材４０（枠部材４０ａ、枠部材４０ｂ）に挿通可能である。また、枠部材４０（枠部材４０ａ、枠部材４０ｂ）の平面視の形状は、支柱部材１０の平面視の形状と同一となる）。なお、挿通孔４１ａと挿通孔４１ｂの大きさは、本実施例の挿通孔２１ａと挿通孔２１ｂと同様に、異なるものとなっている（すなわち、挿通孔４１ａの直径は、挿通孔４１ｂの直径よりも大きく形成されている）。枠部材４０ａの外径は概ね１１ｃｍ、厚みは概ね１ｃｍに形成され、枠部材４０ｂの外径は概ね１０ｃｍ、厚みは概ね１ｃｍに形成される。また、挿通孔４１ａの直径（枠部材４０ａの内側の横幅（内径））は概ね９ｃｍ、挿通孔４１ｂの直径（枠部材４０ｂの内側の横幅（内径））は概ね８ｃｍに形成される（すなわち、枠部材４０（枠部材４０ａ、枠部材４０ｂ）自体の幅は概ね１ｃｍとなる）。なお、枠部材４０（枠部材４０ａ、枠部材４０ｂ）は、例えば、木材、プラスチック等にて形成することができる。
【００５３】
［支持部材５０］
支持部材５０（５０ａ、５０ｂ）は、全体が、平面視矩形状からなる板状体にて形成されており、それぞれの他端が枠部材４０（枠部材４０ａ、枠部材４０ｂ）に横設されている。支持部材５０（５０ａ、５０ｂ）の長手方向の長さは概ね３ｃｍ、短手方向の長さは概ね１ｃｍ、厚みは概ね１ｃｍに形成される。なお、支持部材５０（５０ａ、５０ｂ）は、例えば、木材、プラスチック等にて形成することができる。
【００５４】
［台座６０］
台座６０（台座６０ａ、台座６０ｂ）は、全体が、平面視矩形状からなる板状体にて形成されており、それぞれが、支持部材５０（５０ａ、５０ｂ）の一端に取り付けられている。台座６０（台座６０ａ、台座６０ｂ）の長手方向の長さは概ね２０ｃｍ、短手方向の長さは概ね１５ｃｍ、厚みは概ね１ｃｍに形成される。なお、台座６０（台座６０ａ、台座６０ｂ）は、例えば、木材、プラスチック等にて形成することができる。
【００５５】
このような台座２０（台座２０ａ、台座２０ｂ）の変形例では、支柱部材１０を、挿通孔４１（挿通孔４１ａ、挿通孔４１ｂ）を介して、枠部材４０（枠部材４０ａ、枠部材４０ｂ）に挿通することができることから（支柱部材１０の上端１１側から挿通する）、本実施例と同様に、支持部材５０（５０ａ、５０ｂ）を介して、枠部材４０（枠部材４０ａ、枠部材４０ｂ）に設置される台座６０（台座６０ａ、台座６０ｂ）の支柱部材１０に係止される位置（高さ）を、枠部材４０（枠部材４０ａ、枠部材４０ｂ）の内側の横幅（内径）、すなわち、挿通孔４１（挿通孔４１ａ、挿通孔４１ｂ）の直径の大きさに応じて決定することができる（図８及び図９参照）。つまり、枠部材４０（枠部材４０ａ、枠部材４０ｂ）は、支柱部材１０の直径（横幅）が、枠部材４０（枠部材４０ａ、枠部材４０ｂ）の内側の横幅（内径）よりも大きくなる箇所で、支柱部材１０に係止される。
【００５６】
また、このことに加え、枠部材４０（枠部材４０ａ、枠部材４０ｂ）、すなわち、挿通孔４１（挿通孔４１ａ、挿通孔４１ｂ）の平面視の形状は、支柱部材１０の平面視の形状と同一であることから（共に、平面視円形状からなる）、このような台座２０（台座２０ａ、台座２０ｂ）の変形例において、本実施例と同様の効果が発揮されることはいうまでもない。
【００５７】
なお、上記では、枠部材４０（枠部材４０ａ、枠部材４０ｂ）の形状を平面視円形状にて形成するものとしているが、例えば、これを、平面視矩形状にて形成する等、他の形状にて形成することもできる。また、上記では、支持部材５０（５０ａ、５０ｂ）を、全体が、平面視矩形状からなる板状体にて形成するものとしているが、これを平面視円形状からなる棒状にて形成するようにしてもよい。さらに、既に述べた本実施例に対する変形を、この台座２０（台座２０ａ、台座２０ｂ）の変形例に適用することができることは勿論である。
【００５８】
以上のとおり、これまで、本実施例に対するいくつかの変形例を説明したが、これらの変形例を、適宜組み合わせて適用することができることは勿論のことである。
【００５９】
このように、本実施例では、本発明の趣旨を逸脱しない範囲で種々の変更が可能であることはいうまでもない。
【符号の説明】
【００６０】
１０    支柱部材
１１    上端
１２    下端
１３    傾斜面
２０ａ  台座
２０ｂ  台座
２１ａ  挿通孔
２１ｂ  挿通孔
３０    容器
４０ａ  枠部材
４０ｂ  枠部材
４１ａ  挿通孔
４１ｂ  挿通孔
５０ａ  支持部材
５０ｂ  支持部材
６０ａ  台座
６０ｂ  台座
１００  愛玩動物用の食事台
２００  愛玩動物
【要約】      （修正有）【課題】容器を載置するための台座の高さを容易に変更することができるとともに、１つの食事台で、複数の台座を使用することのできる愛玩動物用の食事台を提供する。【解決手段】上端１１から下端１２にかけて末広がりに傾斜する支柱部材１０と、支柱部材１０の上端１１側から、支柱部材１０を挿通可能な挿通孔が形成されている、愛玩動物用の食事又は水等を入れる容器３０を載置するための台座２０ａ，２０ｂとを備え、支柱部材１０の上端１１側から、支柱部材１０を挿通孔に挿通した際、支柱部材１０の横幅が挿通孔の横幅よりも大きくなる箇所で、台座２０ａ，２０ｂが支柱部材１０に係止されることを特徴とする。【選択図】図５【図１】
0005963339.tif 000002
【図２】
0005963339.tif 000003
【図３ａ】
0005963339.tif 000004
【図３ｂ】
0005963339.tif 000005
【図３ｃ】
0005963339.tif 000006
【図４】
0005963339.tif 000007
【図５】
0005963339.tif 000008
【図６】
0005963339.tif 000009
【図７ａ】
0005963339.tif 000010
【図７ｂ】
0005963339.tif 000011
【図７ｃ】
0005963339.tif 000012
【図８】
0005963339.tif 000013
【図９】
0005963339.tif 000014